(57)【要約】【課題】放送局のマスターシステムにおいて、オンエア中の番組データを直接編集する事なく、オンエア中の番組と同じ時間帯に用意した別ファイル内の番組内に、短時間でマルチ接続することができる放送送出システムを提供する。【解決手段】番組枠及びイベントデータを放送順にまとめたメインファイルと、メインファイル上の特定の時間帯に含まれる時刻にイベントデータを有するマルチファイルと、を有する運行データに従ってデータを送出する放送送出システムであって、メインファイルにマルチファイルのイベントデータを挿入するマルチ接続を開始する第１の時刻が設定されると、メインファイル上の第１の時刻に第１の接続ポイントを決定し、マルチファイル上に第２及び第３の接続ポイントを決定し、メインファイル上に第４の接続ポイントを決定する。決定された接続ポイントの位置に応じて、メインファイルにマルチファイルの一部を挿入するマルチ接続を行う。【選択図】      図１
2014143462.tif 000002
【特許請求の範囲】
【請求項１】
特定の時間帯を持つ番組枠と、前記特定の時間帯に含まれる時刻と前記時刻に送出するデータとを関連付けるイベントデータと、を有する運行データに従って前記データを送出する放送送出システムであって、
前記運行データは、
確定された前記番組枠及び前記イベントデータを放送順にまとめたメインファイルと、
前記メインファイル上の前記特定の時間帯に含まれる時刻に前記イベントデータを持つマルチファイルと、を有し、
前記メインファイルに前記マルチファイルの持つ前記イベントデータのうち少なくとも一部を挿入するマルチ接続を開始する第１の時刻が設定されると、
前記放送送出システムは、
前記メインファイルの前記第１の時刻に第１の接続ポイントを決定し、
前記マルチファイルの前記第１の時刻以降で最初の前記イベントデータの前に第２の接続ポイントを決定し、
前記マルチファイルの前記第２の接続ポイント以降のいずれかの前記イベントデータの後に第３の接続ポイントを決定し、
前記メインファイルの前記第１の時刻以降で最初の前記番組枠の直前に第４の接続ポイントを決定し、
前記メインファイルにおける前記第１の接続ポイントと前記第４の接続ポイントとの間に前記マルチファイルにおける前記第２の接続ポイントと前記第３の接続ポイントとの間にある前記イベントデータを挿入する前記マルチ接続を行うことを特徴とする放送送出システム。
【請求項２】
前記運行データを格納する記憶部と、
前記記憶部に格納された前記運行データの第１の編集処理を行う処理部と、
前記処理部による処理結果を参照して前記運行データの第２の編集処理を行う編集部と、
前記編集部によって編集された前記運行データに従って前記データの送出を制御する制御部と、を備え、
前記処理部は、
前記メインファイルにおける前記第１の時刻に前記第１の接続ポイントが設定されると、前記マルチファイルにおいて前記第１の時刻以降で最初の前記イベントデータの前に第２の接続ポイントを、前記マルチファイルにおいて前記第２の接続ポイント以降でいずれかの前記イベントデータの最後に第３の接続ポイントを、前記メインファイルにおいて前記第１の時刻以降で最初の前記番組枠の直前に第４の接続ポイントを決定し、
前記編集部は、
前記処理部における前記第１の編集処理によって得られた処理結果を参照して前記第１乃至第４の接続ポイントを設定して前記マルチ接続を行い、
前記制御部は、
前記マルチ接続に従って前記データを送出する制御を行なうことを特徴とする請求項１に記載の放送送出システム。
【請求項３】
前記処理部は、
前記第３の接続ポイントに設定された時刻の方が前記第４の接続ポイントに設定された時刻よりも後の時刻である場合、
前記第４の接続ポイントに設定された時刻以降に含まれる前記メインファイルの前記番組枠の送出開始時刻に、前記第３の接続ポイントに設定された時刻と前記第４の接続ポイントに設定された時刻との差分となる時間を加え、前記送出開始時刻を延長するタイムシフト処理を行うことを特徴とする請求項２に記載の放送送出システム。
【請求項４】
前記第１乃至第４の接続ポイントは、前記番組枠及び前記イベントデータと同じファイル形式で記述されることを特徴とする請求項２又は３に記載の放送送出システム。
【請求項５】
前記処理部は、前記第１乃至第４の接続ポイントの設定によって追加された接続ポイントに関する情報の追加指示と、前記タイムシフトの指示内容と、を前記編集部に向けて送信し、
前記編集部は、前記接続ポイントに関する情報の追加指示及び前記タイムシフトの指示内容に応じて前記第１乃至第４の接続ポイントを設定した上で前記マルチ接続を行うことを特徴とする請求項４に記載の放送送出システム。
【請求項６】
前記第３の接続ポイントは、前記マルチファイルに記述された最後の前記イベントデータの後に設定されることを特徴とする請求項２乃至５のいずれか一項に記載の放送放出システム。
【請求項７】
前記記憶部を含むデータサーバと、
前記制御部及び前記編集部を含む自動番組制御装置と、
前記処理部を含む端末装置と、
前記端末装置にデータを入力する入力装置と、を備え、
前記自動番組制御装置は、現在時刻を取得する手段を有し、
前記第１の時刻として、前記現在時刻または前記入力装置から送信された指定時刻が設定されることを特徴とする請求項２乃至６のいずれか一項に記載の放送送出システム。
【請求項８】
前記端末装置は表示装置を有し、
前記処理部は、
前記第１の時刻が前記現在時刻よりも前の時刻であるときに前記マルチ接続を実行しようとしたとき、または前記マルチファイルにおいて前記第１の時刻以降に前記イベントファイルが無いとき、または前記メインファイルにおいて前記第１の時刻以降に前記番組枠が無いとき、の少なくともいずれかに相当する場合、
前記マルチ接続を実行できないことを示すエラー情報を前記表示装置に出力することを特徴とする請求項７に記載の放送送出システム。
【請求項９】
特定の時間帯を持つ番組枠と、前記特定の時間帯に含まれる時刻と前記時刻に送出するデータとを関連付けるイベントデータと、を有する運行データに従って前記データを送出する放送送出方法あって、
前記運行データは、
確定された前記番組枠及び前記イベントデータを放送順にまとめたメインファイルと、
前記メインファイル上の前記特定の時間帯に含まれる時刻に前記イベントデータを有するマルチファイルと、を有し、
前記メインファイルに前記マルチファイルの持つ前記イベントデータのうち少なくとも一部を挿入するマルチ接続を開始する第１の時刻が設定されると、
前記メインファイル上における前記第１の時刻に第１の接続ポイントを決定し、
前記マルチファイル上における前記第１の時刻以降で最初の前記イベントデータの前に第２の接続ポイントを決定し、
前記マルチファイル上における前記第２の接続ポイント以降のいずれかの前記イベントデータの後に第３の接続ポイントを決定し、
前記メインファイル上における前記第１の時刻以降で最初の前記番組枠の直前に第４の接続ポイントを決定し、
前記メインファイルにおける前記第１の接続ポイントと前記第４の接続ポイントとの間に前記マルチファイルにおける前記第２の接続ポイントと前記第３の接続ポイントとの間にある前記イベントデータを挿入する前記マルチ接続を行うことを特徴とする放送送出方法。
【請求項１０】
特定の時間帯を持つ番組枠と、前記特定の時間帯に含まれる時刻と前記時刻に送出するデータとを関連付けるイベントデータと、を有する運行データに従って前記データを送出するための放送送出プログラムであって、
前記運行データは、
確定された前記番組枠及び前記イベントデータを放送順にまとめたメインファイルと、
前記メインファイル上の前記特定の時間帯に含まれる時刻に前記イベントデータを持つるマルチファイルと、を有し、
前記メインファイルに前記マルチファイルの持つ前記イベントデータのうち少なくとも一部を挿入するマルチ接続を開始する第１の時刻の設定に応じて、
前記メインファイル上の前記第１の時刻に第１の接続ポイントを決定する処理と、
前記マルチファイル上における前記第１の時刻以降で最初の前記イベントデータの前に第２の接続ポイントを決定する処理と、
前記マルチファイル上における前記第２の接続ポイント以降のいずれかの前記イベントデータの後に第３の接続ポイントを決定する処理と、
前記メインファイル上における前記第１の時刻以降で最初の前記番組枠の直前に第４の接続ポイントを決定する処理と、
前記メインファイルにおける前記第１の接続ポイントと前記第４の接続ポイントとの間に前記マルチファイルにおける前記第２の接続ポイントと前記第３の接続ポイントとの間にある前記イベントデータを挿入する前記マルチ接続を行う処理と、をコンピュータに実行させることを特徴とする放送送出プログラム。
【発明の詳細な説明】
【技術分野】
【０００１】
本発明は、時刻情報を持つ運行データによって放出する放送データの自動制御を行う放送送出システム、放送送出方法及び放送送出プログラムに関する。
【背景技術】
【０００２】
一般的な放送局のマスターシステムにおいて、マルチ接続を必要とする番組の延長や差し替えを行う場合、事前にマルチ編成を行って接続ポイントの位置を決定しておく必要があった。
【０００３】
特許文献１には、同一のビデオテープに収録されているあらかじめ放送時間が決まっているＣＭ番組枠（リアルタイムＣＭ番組枠）と、あらかじめ放送時間を定めておくことができないＣＭ番組枠（アンタイムＣＭ番組枠）とを連続して放送させる技術が開示されている（ＣＭ：Ｃｏｍｍｅｒｃｉａｌ  Ｍｅｓｓａｇｅ）。
【０００４】
図７に示した特許文献１の自動番組制御装置（特許文献１の図１）において、マスターＡＰＳ１１０は、ＶＴＲ１２１、フィルム１２２などの放送番組素材を搭載した機器のスタートタイミングを制御する（ＡＰＳ：Ａｏｔｏ  Ｐｒｏｇｒａｍ  ｃｏｎｔｒｏｌ  Ｓｙｓｔｅｍ、ＶＴＲ：Ｖｉｄｅｏ  Ｔａｐｅ  Ｒｅｃｏｒｄｅｒ）。また、マスターＡＰＳ１１０は、入力スイッチャ１３０とマスタスイッチャ１６０とを制御し、放送番組の送出を制御する。入力スイッチャ１３０には、クロスポイント１３１−１などを有する第１のスイッチ列１３１と、クロスポイント１３２−１などを有する第２のスイッチ列１３２とを有している。第１のスイッチ列１３１は、マスタスイッチャ１６０のクロスポイント１６１−１に接続されている。それに対し、第２のスイッチ列１３２は、送出バッファ１４０を介してマスタスイッチャ１６０のクロスポイント１６１−２に接続されている。
【０００５】
マスターＡＰＳ１１０によって次に制御される対象がアンタイムＣＭ番組データであり、それに続いてリアルタイムＣＭ番組データを制御する例を挙げる。マスターＡＰＳ１１０は、アンタイムＣＭ番組データが登録されたタイミングで、クロスポイント１３１−１を閉じてＶＴＲ１２１に対する再生制御を行なう。例えば、その３秒後にクロスポイント１３２−１を閉じて、再生制御と同時に送出バッファ１４０でアンタイムＣＭ番組データの収録制御をする。ここで、ＶＴＲ１２１は、アンタイムＣＭ番組データの再生を行い、ストップトーンを検出して停止し、続いて送出するリアルタイムＣＭ番組枠の頭出しを完了する。そして、アンタイムＣＭ番組枠のオンエアスタート制御がされると、マスターＡＰＳ１１０は、送出バッファ１４０に対してスタート制御を行ない、クロスポイント１６１−２を閉じてアンタイムＣＭ番組枠を送出する。その後、アンタイムＣＭ番組枠が終了すると同時にクロスポイント１６１−２を１６１−１に切り替え、リアルタイムＣＭ番組枠を送出する。
【先行技術文献】
【特許文献】
【０００６】
【特許文献１】特開平１０−２７１３８８号公報
【発明の概要】
【発明が解決しようとする課題】
【０００７】
一般に、オンエア中の番組の途中で急遽マルチ編成が必要になった場合、営放システム（営業放送システム）などといった上位システムからオンエア直前のデータの変更ができなかったり、番組変更の承認まで時間がかかったりする。そのため、これまでは、マスターシステムの管理者によって、マスターシステム上で直接オンエア中の番組データを編集する必要があるという課題があった。
【０００８】
また、マルチ編成の遷移パターンが全ファイル間で存在する場合、上位システムで全ての接続ポイントを事前に用意しておくことが困難であるという課題があった。
【０００９】
特許文献１によれば、あらかじめ放送の終了時刻が決まっていない放送の終了直後であっても、アンタイムＣＭ番組枠などを利用して、放送時間が決まっている次の番組枠との時間調整が可能となる。しかしながら、次の放送番組枠の放送開始時刻が変動する場合には定刻の接続ポイントが設定されないため、自動でマルチ接続をすることはできなかった。
【００１０】
本発明は、放送局のマスターシステムにおいて、オンエア中の番組データを直接編集する事なく、オンエア中の番組と同じ時間帯に用意した別ファイル内の番組内に、短時間でマルチ接続することができる放送送出システムを提供することを目的とする。
【課題を解決するための手段】
【００１１】
本発明の放送送出システムは、特定の時間帯を持つ番組枠と、特定の時間帯に含まれる時刻と時刻に送出するデータとを関連付けるイベントデータと、を有する運行データに従ってデータを送出する放送送出システムであって、運行データは、確定された番組枠及びイベントデータを放送順にまとめたメインファイルと、メインファイル上の特定の時間帯に含まれる時刻にイベントデータを持つマルチファイルと、を有し、メインファイルにマルチファイルの持つイベントデータのうち少なくとも一部を挿入するマルチ接続を開始する第１の時刻が設定されると、放送送出システムは、メインファイルの第１の時刻に第１の接続ポイントを決定し、マルチファイルの第１の時刻以降で最初のイベントデータの前に第２の接続ポイントを決定し、マルチファイルの第２の接続ポイント以降のいずれかのイベントデータの後に第３の接続ポイントを決定し、メインファイルの第１の時刻以降で最初の番組枠の直前に第４の接続ポイントを決定し、メインファイルにおける第１の接続ポイントと第４の接続ポイントとの間にマルチファイルにおける第２の接続ポイントと第３の接続ポイントとの間にあるイベントデータを挿入するマルチ接続を行う。
【００１２】
本発明の放送送出方法は、特定の時間帯を持つ番組枠と、特定の時間帯に含まれる時刻と時刻に送出するデータとを関連付けるイベントデータと、を有する運行データに従ってデータを送出する放送送出方法あって、運行データは、確定された番組枠及びイベントデータを放送順にまとめたメインファイルと、メインファイル上の特定の時間帯に含まれる時刻にイベントデータを有するマルチファイルと、を有し、メインファイルにマルチファイルの持つイベントデータのうち少なくとも一部を挿入するマルチ接続を開始する第１の時刻が設定されると、メインファイル上における第１の時刻に第１の接続ポイントを決定し、マルチファイル上における第１の時刻以降で最初のイベントデータの前に第２の接続ポイントを決定し、マルチファイル上における第２の接続ポイント以降のいずれかのイベントデータの後に第３の接続ポイントを決定し、メインファイル上における第１の時刻以降で最初の番組枠の直前に第４の接続ポイントを決定し、メインファイルにおける第１の接続ポイントと第４の接続ポイントとの間にマルチファイルにおける第２の接続ポイントと第３の接続ポイントとの間にあるイベントデータを挿入するマルチ接続を行う。
【００１３】
本発明の放送送出プログラムは、特定の時間帯を持つ番組枠と、特定の時間帯に含まれる時刻と時刻に送出するデータとを関連付けるイベントデータと、を有する運行データに従ってデータを送出するための放送送出プログラムであって、運行データは、確定された番組枠及びイベントデータを放送順にまとめたメインファイルと、メインファイル上の特定の時間帯に含まれる時刻にイベントデータを持つるマルチファイルと、を有し、メインファイルにマルチファイルの持つイベントデータのうち少なくとも一部を挿入するマルチ接続を開始する第１の時刻の設定に応じて、メインファイル上の第１の時刻に第１の接続ポイントを決定する処理と、マルチファイル上における第１の時刻以降で最初のイベントデータの前に第２の接続ポイントを決定する処理と、マルチファイル上における第２の接続ポイント以降のいずれかのイベントデータの後に第３の接続ポイントを決定する処理と、メインファイル上における第１の時刻以降で最初の番組枠の直前に第４の接続ポイントを決定する処理と、メインファイルにおける第１の接続ポイントと第４の接続ポイントとの間にマルチファイルにおける第２の接続ポイントと第３の接続ポイントとの間にあるイベントデータを挿入するマルチ接続を行う処理と、をコンピュータに実行させる。
【発明の効果】
【００１４】
本発明の放送送出システムによれば、放送局のマスターシステムにおいて、オンエア中の番組データを直接編集する事なく、オンエア中の番組と同じ時間帯に用意した別ファイル内の番組内に、短時間でマルチ接続することが可能となる。
【図面の簡単な説明】
【００１５】
【図１】本発明の実施形態に係る放送送出システムの構成を示すブロック図である。
【図２】本発明の実施形態に係る運行データ構成例である。
【図３】本発明の実施例に係る番組途中における緊急マルチ接続後の運行データ構成例である（タイムシフト、オンエアルートフラグ反映前）。
【図４】本発明の実施例に係る番組途中における緊急マルチ接続後の運行データ構成例である（タイムシフト、オンエアルートフラグ反映後）。
【図５】本発明の実施例に係る番組途中における緊急マルチ接続処理の流れを示すフローチャートである。
【図６】本発明の実施例に係る番組途中における緊急マルチ接続処理の流れを示すフローチャートである。
【図７】特許文献１の自動番組制御装置の構成を示す図である。
【発明を実施するための形態】
【００１６】
背景技術で述べたように、一般的な放送局のマスターシステムにおいて、マルチ接続が必要となる番組の延長や差し替えを行う場合、事前にマルチ編成を行って接続ポイントの位置を決定しておく必要があった。
【００１７】
マスターシステム（ＡＰＳ、マスターＡＰＳとも表記）とは、運行データに記載された内容に従い、時刻通りの番組の運行制御を自動で行うためのシステムである。また、マルチ接続とは、例えば野球中継番組の延長や雨天中止など、同時間帯で様々な運用パターンが考えられる編成に対応するために、確定運行データ内で実際に運行制御に使用するファイルを途中で切り替えるための編集機能である。マルチ編成とは、マルチ接続を行う上で、運行制御に使用するファイルを複数の運用パターン分用意する編成のことである。
【００１８】
（実施形態）
以下に、本発明を実施するための形態について図面を用いて説明する。但し、以下に述べる実施形態には、本発明を実施するために技術的に好ましい限定がされているが、発明の範囲を以下に限定するものではない。
【００１９】
（構成）
図１は、本発明の実施形態に係る放送送出システム１の構成を示すブロック図である。
【００２０】
本発明の実施形態に係る放送送出システム１は、データサーバ１０（以下、ＤＳ１０）と、映像表示端末装置２０（以下、ＶＤＴ２０）と、自動番組制御装置５０（以下、ＡＰＳ５０）と、を備えている（ＤＳ：Ｄａｔａ  Ｓｅｒｖｅｒ、ＶＤＴ：Ｖｉｓｕａｌ  Ｄｉｓｐｌａｙ  Ｔｅｒｍｉｎａｌｓ、ＡＰＳ：Ａｕｔｏｍａｔｉｃ  Ｐｒｏｇｒａｍ  ｃｏｎｔｒｏｌ  Ｓｙｓｔｅｍ）。
【００２１】
また、本発明の実施形態に係る放送送出システム１には、図１に示したような、表示装置３０、入力装置４０、時計装置６０などを備えてもよい。なお、具体的な送出装置については図示していないが、本実施形態の放送送出システム内で処理された番組データは、図示しないスイッチャや送出装置などを介して送出されるものとする。
【００２２】
（データサーバ：ＤＳ）
ＤＳ１０は、上位システムから受信、またはＶＤＴ２０により新規追加された確定運行データ１６を格納し、それらのデータをＡＰＳ５０など他機器に対してプレイリストとして送信する機能を持つ。
【００２３】
ＤＳ１０は、ＤＳ記憶領域１１と、データ参照部１２と、データ登録部１３と、データ送信部１４と、データ受信部１５と、を有している。
【００２４】
ＤＳ記憶領域１１は、確定運行データ１６を格納する。確定運行データ１６は、データ件数によっては１放送日だけで数ＭＢｙｔｅの容量になるため、データベースを用いてデータを索引しやすい形にするのが好ましい。
【００２５】
確定運行データ１６は、ＲＥＧファイル（メインファイル）とマルチファイルとを含んでいる。
【００２６】
ＲＥＧファイルは、ある放送局の特定の放送日において、確定された番組枠を放送順にまとめたデータを有する。ＲＥＧファイルは、定時枠の放送データを含むレギュラーファイル（Ｒｅｇｕｌａｒ  Ｆｉｌｅ）を意味する。
【００２７】
マルチファイルは、ＲＥＧファイルが含む番組の放送時間帯と同じ時間帯に用意した番組を含むファイルである。それぞれのマルチファイルには、例えば、００１〜９９９の範囲の番号を与えられる。なお、マルチファイル１８の構成数が少ない場合は桁数を小さくしてもよいし、マルチファイル１８の構成数が多い場合は桁数を大きくしてもよい。
【００２８】
また、デジタル放送においては、オンエア当日だけではなく８日先までの電子番組表（以下、ＥＰＧ）を表示する必要がある（ＥＰＧ：Ｅｌｅｃｔｒｏｎｉｃ  Ｐｒｏｇｒａｍ  Ｇｕｉｄｅ）。ＥＰＧを確定運行データ１６から生成する場合は、オンエアよりも前の放送日のうちに確定運行データ１６をＤＳ記憶領域１１に格納しておく必要がある。このため、基本として、ＤＳ１０は、複数放送日の確定運行データ１６を管理・参照・受信・送信できる機能を有していることが好ましい。
【００２９】
データ参照部１２は、ＶＤＴ２０からのデータ参照要求に応じて、ＤＳ記憶領域１１からデータを引き出し、ＶＤＴ２０に対してこのデータを送信する機能をもつ。また、データ参照部１２は、ＶＤＴ２０から受信したデータをＤＳ記憶領域１１に送信する機能ももつ。
【００３０】
データ登録部１３は、ＶＤＴ２０から受信したデータをＤＳ記憶領域１２に登録し、そのデータをデータ送信部１４に引き渡す機能をもつ。また、データ登録部１３は、データ受信部１５から引き継いだデータをＤＳ記憶領域１１に引き渡す機能ももつ。
【００３１】
データ送信部１４は、データ登録部１３によって登録されたデータをＡＰＳ５０など他機器へと送信する機能をもつ。
【００３２】
データ受信部１５は、ＡＰＳ５０などの他機器からデータを受信し、そのデータをデータ登録部１３に引き渡す機能をもつ。
【００３３】
（映像表示端末装置：ＶＤＴ）
ＶＤＴ２０は、オペレータがデータの確認・入力をするための端末装置である。また、ＶＤＴ２０は、ＤＳ１０内の確定運行データ１６を参照して確定運行データ１６をＶＤＴ記憶領域２１上に格納し、その確定運行データ１６を編集処理し、その編集処理した結果のデータをＤＳ１０のＤＳ記憶領域１１に登録する機能を持つ。
【００３４】
ＶＤＴ２０は、ＶＤＴ記憶領域２１と、データ処理部２２とを有する。
【００３５】
ＶＤＴ記憶領域２１は、確定運行データ１６を格納するためのメモリである。ＶＤＴ記憶領域２１に格納される確定運行データ１６は、データ処理部２２によって編集処理される。ＶＤＴ記憶領域２１のデータは、表示装置３０に表示することができ、オペレータはそのデータを確認することができる。
【００３６】
データ処理部２２は、ＶＤＴ記憶領域２１に格納された確定運行データ１６の編集を行う（第１の編集処理）。なお、確定運行データ１６の編集には、マルチ接続が含まれる。また、データ処理部２２は、入力装置４０から入力されたデータをＶＤＴ記憶領域２１に格納された確定運行データ１６に反映させる機能も有する。
【００３７】
オペレータがＶＤＴ２０上のデータを見るためには、ＰＣモニタなどの表示装置３０、キーボードやマウスなどの入力装置４０が設けられていることが好ましい。なお、表示装置３０及び入力装置４０は、ＶＤＴ２０の内部に構成されていてもよい。
【００３８】
（自動番組制御装置：ＡＰＳ）
ＡＰＳ５０は、ＤＳ１０から受信した確定運行データ１６上に記述された制御時刻などの情報をもとに、図示しないスイッチャや様々な機器の制御を行うための装置である。なお、スイッチャとは、入力された映像や音声などの複数の信号から、ＡＰＳ５０の制御により指定された信号のみを各サービスに送信する装置である。また、様々な機器には、番組バンク、ＣＭバンク、スタジオ、ＶＴＲ、局間連携装置などの放送機器などが含まれる。
【００３９】
ＡＰＳ５０は、ＡＰＳ記憶領域５１と、データ編集部５２と、制御部５３と、時計ボード５４と、を有している。
【００４０】
ＡＰＳ記憶領域５１は、ＤＳ１０から受領したデータを保存する。ＡＰＳ５０は、１／１００秒以下の正確性およびリアルタイム性が求められる装置であるため、ＯＳはリアルタイムＯＳであることが好ましい（ＯＳ：Ｏｐｅｒａｔｉｏｎ  Ｓｙｓｔｅｍ）。また、確定運行データ１６を格納するＡＰＳ記憶領域５１は、ハードディスクではなく、メモリであることが好ましい。なぜなら、ハードディスクではアクセスに時間がかかる他、２４時間もしくは１日長時間の運用を行う場合、消耗が早いためである。
【００４１】
データ編集部５２は、ＤＳ１０からの指示に従い、ＡＰＳ記憶領域５１に格納された確定運行データ１６を編集する（第２の編集処理）。また、マルチ接続もデータ編集部５２によって行われる。
【００４２】
マルチ接続やタイムシフトといった大量のデータに対する一括編集処理は、ＶＤＴ２０の処理結果をそのまま受信するのではなく、ＶＤＴ２０の処理内容を受信し、ＶＤＴ２０と同様の処理を内部的に行うことで実行される。処理結果を全て受信してしまうと、処理範囲内の確定運行データ１６を受信する必要があり、当日データが更新された場合、オンエア中の番組やイベントデータの位置が一時的に不明となり、本来の制御情報と異なる制御が行われる可能性がある。そのため、ＶＤＴ２０の処理内容を受信し、ＶＤＴ２０と同様の処理を内部的に行うのである。また、ＶＤＴ２０とＡＰＳ５０では処理内容が異なっていてはいけない。
【００４３】
制御部５３は、ＤＳ１０から受領した確定運行データ１６上に記載された制御時刻などの情報をもとに、図示しないスイッチャや様々な機器の制御を行う。
【００４４】
時計ボード５４は、ＡＰＳ５０に実装され、時計装置６０から受信したＢＣＤシリアル信号に時刻同期する。時計ボード５４は、正確な時刻においてＤＳ１０に対して制御結果および現在時刻の通知を行わなければならない。
【００４５】
時計装置６０は、現在時刻を取得し、取得した現在時刻を時計ボード５４に送信する装置である。なお、時計ボード５４が外部の通信網と接続され、正確な現在時刻と同期できるのであれば、時計装置６０は必須の構成ではない。また、時計装置６０は、時計ボード５４に内蔵されていてもよい。
【００４６】
（確定運行データ）
図２は、マルチ編成に必要となる確定運行データ１６の構成例である。なお、図２の確定運行データ１６は、本発明の実施形態を説明するための一例であって、本発明の範囲を限定するものではない。
【００４７】
確定運行データ１６には、１放送日内のＳＶ１ファイルに、ＳＶ１＿ＲＥＧファイル１７（メインファイル）およびマルチファイル１８が収められている。
【００４８】
ＳＶ１＿ＲＥＧファイル１７は、ある放送局の特定の放送日において、確定された番組枠を放送順にまとめたデータを有する。
【００４９】
マルチファイル１８は、ＳＶ１＿ＲＥＧファイル１７に記載された番組の放送時間が延長された際にマルチ接続するための番組を有する。マルチファイル１８は、００１〜９９９ファイル（以下、ＳＶ１＿００１ファイル１８（００１）〜ＳＶ１＿９９９ファイル１８（９９９））を含みうる。また、マルチファイル１８が９９９個以上のファイルからなる場合は、適宜上限を変更することができる。また、マルチファイル１８が１、２、３個程度である場合は、ＳＶ１＿１、ＳＶ１＿２、ＳＶ＿３のようにファイル番号の桁数を小さくして表記することもできる。
【００５０】
ただし、ＳＶ１＿ＲＥＧファイル１７およびマルチファイル１８は、それぞれ独立したファイルとして存在してもよく、必ずしもＳＶ１ファイル１６−１のように１放送日内でまとめられた形式ではなくてもよい。
【００５１】
例えば、運用が１パターンしかない放送日においては、ＲＥＧファイル１７内のみにデータがあればよい。それに対し、野球放送などのように、延長や雨天中止など複数の運用ケースが考えられる放送日においては、各運用ケースのデータが各マルチファイル１８に記述されることになる。マルチファイル１８は、延長や差し替えの可能性がある各番組枠に対してそれぞれ設けられていてもよく、また、各番組枠に対して複数存在していてもよい。
【００５２】
確定運行データ１６は、番組データ（Ｂデータ）とイベントデータ（Ｅデータ）とを有する。番組データは、確定された番組枠として特定の時間帯を持つ。イベントデータは、番組データの持つ特定の時間帯に含まれる時刻を持ち、その時刻と送出するデータ（イベント）を関連付ける。これらのデータには、制御を行う時刻の情報や、制御を行う対象の機器・制御方法などが指定されている。
【００５３】
なお、図２の各ファイル内において、番組データには左端に「Ｂ」と記し、イベントデータには左端に「Ｅ」と記した。また、イベントデータとして、次の番組に移行するための起点となるデータ（次の番組の開始時刻）を設定してもよい。例えば、図２においては、『Ｅ  ２１：００：００イベントＡ−４  １』というイベントデータを、次の番組に移行するための起点となるデータとみなすことができる。
【００５４】
また、番組データ、イベントデータには、自ファイルから他のファイルに接続するための情報を記載する事ができる。このようなファイル間の移行に関する情報が記述されたデータを、ＭＬ／ＥＤデータ１９（接続ポイント）と呼ぶ。なお、ＭＬ／ＥＤデータ１９は、図３において下線を付した１９（ａ）〜１９（ｄ）のデータである。
【００５５】
ＭＬ／ＥＤデータ１９は、番組データ及びイベントデータと同フォーマットである。ＭＬ／ＥＤ区分がＭＬＦ（接続元）、ＭＬＴ（接続先）、ＥＤＦ（戻り元）、ＥＤＴ（戻り先）のいずれかである場合、それらのデータをＭＬ／ＥＤデータ１９とよぶ。なお、ＭＬＦは第１の接続ポイント、ＭＬＴは第２の接続ポイント、ＥＤＦは第３の接続ポイント、ＥＤＴは第４の接続ポイントに相当する。
【００５６】
ＭＬ／ＥＤデータ１９の時刻情報は、制御には使用されない。ＭＬ／ＥＤデータ１９の時刻情報は、あくまで複数ファイル間の接続ポイントとしての役割を持つ。
【００５７】
さらに、ＭＬ／ＥＤデータ１９は、接続先ファイル区分と、ＭＬ／ＥＤナンバーと、マルチ接続中フラグとを有する。
【００５８】
接続先ファイル区分は、接続対象ＭＬ／ＥＤデータ１９のファイルを指定する区分である。
【００５９】
ＭＬ／ＥＤナンバーは、例えば０００１〜９９９９などと付され、１放送日および１サービス内で一意である。ＭＬ／ＥＤナンバーは、同じＭＬ／ＥＤデータ１９のグループを特定するための番号である。図３の例では、「０００１」がＭＬ／ＥＤナンバーに相当する。
【００６０】
マルチ接続中フラグは、マルチ接続しているか否かを示し、接続中ならば「Ｄ」が付され、未接続ならばスペースが空けられる。なお、図４では、スペースを明示するために改行しているが、スペースの認識ができさえすれば必ずしも改行する必要はない。
【００６１】
マルチ接続処理では、同じＭＬ／ＥＤナンバーが記載された接続元（ＭＬＦ）、接続先（ＭＬＴ）、戻り元（ＥＤＦ）と戻り先（ＥＤＴ）の４つのＭＬ／ＥＤデータ１９に基づき、確定運行データ１６の制御順をＭＬＦ、ＭＬＴ、ＥＤＦ、ＥＤＴの順となるルートに切り替える。マルチ接続処理は、複数のファイルを跨いだ制御処理を可能とするための処理である。
【００６２】
（動作）
ここで、マルチ接続における接続ポイントの設定について説明する。なお、以下のマルチ接続の動作説明においては、ＳＶ１＿ＲＥＧファイル１７）をメインファイルと記載し、マルチファイル１８をマルチファイルと記載する。
【００６３】
マルチファイル中のある番組をメインファイルに挿入するように設定されると、メインファイル上の設定時刻（現在時刻＋Ｎ秒以降、または指定時刻）以降の時刻を持つ最初のイベントデータの直前にＭＬＦが挿入される。なお、Ｎ秒は、データ転送やＣＭバンクなどのスタンバイ時刻を考慮した時間である。
【００６４】
ＭＬＴは、設定されたマルチファイルにおいて、設定時刻以降の時刻を持つ最初のイベントデータの直前に挿入される。
【００６５】
ＥＤＦは、マルチファイルのファイルの最後に挿入される。なお、ＥＤＦの挿入位置は、ＭＬＴを挿入した時刻以降であれば、任意に設定することもできる。
【００６６】
ＥＤＴは、メインファイル上の現在時刻＋Ｎ秒以降、または指定時刻以降の時刻を持つ最初の番組データの直前に挿入される。
【００６７】
以上が、マルチ接続の動作説明である。
【００６８】
確定運行データ１６の制御順（オンエアルート）は、各番組データ・イベントデータ上のオンエアルートフラグ、または次データのアドレスを参照するポインタによって決定されるが、マルチ接続処理ではこれらを変更し、オンエアルートを切り替えることになる。
【００６９】
また、ＥＤＦとＥＤＴの時刻が異なる場合、ＥＤＴ以降のデータに対し、ＥＤＦとＥＤＴの時刻の差分をタイムシフトする事が可能である。なお、タイムシフトとは、複数番組・イベントデータの制御時刻を一定値だけプラスもしくはマイナスする編集機能のことである。
【００７０】
上述のマルチ接続によると、ＭＬＦ以前はメインファイルに従ってデータ送出され、ＭＬＦにおいてマルチファイルのＭＬＴに移行する。その後、ＥＤＦ以前の時刻ではマルチファイルに従ってデータ送出され、ＥＤＦにおいてメインファイルのＥＤＴに戻ることになる。このマルチ接続は、ＭＬＦとマルチファイルさえ設定されれば自動的に実行され、マルチファイルの少なくとも一部をメインファイルに挿入もしくは置換することができ、野球中継のような時間延長をもつ番組であっても問題なく運行することができる。
【００７１】
例えば、図３の確定運行データ１６のように、ＳＶ１＿ＲＥＧファイル１７上には２時間（１９：００：００−２１：００：００）の番組Ａ、ＳＶ１＿１０１ファイル１８（１０１）上には２時間１０分の番組Ａ’（１９：００：００−２１：１０：００）を用意する。なお、ＳＶ１＿１０２ファイル１８（１０２）上には２時間２０分の番組Ａ”（１９：００：００−２１：２０：００）を用意する。
【００７２】
ここで、ＳＶ１＿ＲＥＧファイル１７からＳＶ１＿１０１ファイル１８（１０１）へのマルチ接続を実行する（ＭＬＦ１９（ａ）を指定）。ＭＬＦ１９（ａ）は、現在時刻または指定時刻のいずれかの時刻以降に挿入される。
【００７３】
その結果、ＭＬＦ１９（ａ）とＭＬＴ１９（ｂ）、ＥＤＦ１９（ｃ）とＥＤＴ１９（ｄ）とが接続され、ＳＶ１＿ＲＥＧファイル１７のＥＤＴ１９（ｄ）以降のデータが＋１０分タイムシフトする。これらのＭＬ／ＥＤデータ１９の挿入位置は自動的に決定される。
【００７４】
これは、一般的な野球延長などの時に行われる運用方法の１つである。このケースでは、番組Ａを定時枠とすると、番組Ａ’を１０分延長枠、番組Ａ”を２０分延長枠と呼ぶ事がある。また、例えば、１０分延長枠から２０分延長枠への変更だけではなく、１０分延長枠から３０分延長枠への変更、１０分延長枠から４０分延長枠への変更などの複数のパターンを用意することができる。
【００７５】
一般的な放送延長の可能性のある中継においては、このような延長枠を延長時間枠に対応させて事前に用意しておき、番組の延長が決定した場合、オペレータによって、データのタイムシフト処理やイベントデータの追加を急遽直接行う必要がある。このような番組の延長は、マルチ接続以外によって運用することは有効とは言えない。
【００７６】
一般的なマルチ接続の場合、上位システムまたはＤＳ１０は、延長枠となるマルチファイル１８を各延長枠個々に対して事前に用意する必要がある。すなわち、一般的なマルチ接続では、１０分延長枠、２０分延長枠、３０分延長枠、・・・Ｎ分延長枠といった個々の延長枠に対して個別のマルチファイル１８が必要となる。すなわち、１０分延長枠としてＳＶ１＿１０１ファイル１８（１０１）、２０分延長枠としてＳＶ＿１＿１０２ファイル１８（１０２）、３０分延長枠としてＳＶ_１_１０３ファイル（図示せず）、Ｎ分延長枠としてＳＶ１＿１０Ｎファイル１８（Ｎ）など、延長枠に対応させてマルチファイル１８を準備する必要があった。
【００７７】
また、一般的なマルチ接続対応においては、番組の延長が決定した場合、オペレータがデータのタイムシフト処理やイベントデータの追加を急遽直接行う必要が生じてしまうため、人為的な操作ミスの恐れがあった。
【００７８】
それに対して、本発明の実施形態に係る放送送出システム１においては、緊急マルチ接続時にＭＬ／ＥＤデータ１９をＤＳ１０で自動生成するため、延長枠となるマルチファイル１８を各延長枠個々に対して用意しておく必要はない。また、延長枠を延長予定時間ごとに準備する必要はないために、マルチファイルの数を少なくして対応することもできるし、延長時間枠を１０分間隔などに固定せずに柔軟な時間配分で設定することも可能となる。
【００７９】
以上のように、本発明の実施形態の放送送出システムにおいては、緊急マルチ接続を実行したときに、時計装置より受信した現在時刻またはオペレータが入力した指定時刻を参照し、その時刻以降で接続ポイント（ＭＬ／ＥＤデータ）の挿入位置（遷移元、遷移先、戻り元、戻り先の４か所）を自動で判断するステップを設ける。そして、ＭＬ／ＥＤデータの挿入、マルチ接続までを自動で行う。この一連の処理により、接続ポイントが事前に用意されていない状態でも、オンエア中の番組の途中からマルチ接続を行い、マルチファイルの別番組に運行制御を切り替える事が可能となる。
【００８０】
（効果）
本発明の実施形態の放送送出システムによれば、遷移元となる接続元（ＭＬＦデータ）の挿入時刻さえ決定してしまえば、接続ポイント（ＭＬ／ＥＤデータ）の挿入位置を自動判断する機能を有するため、余分な画面操作を行う時間を省く事ができる。その結果、緊急の番組延長の際に、オペレーション時間を短縮できるという効果が得られる。
【００８１】
また、本発明の実施形態の送送出システムによれば、接続ポイントの挿入位置を自動判断する機能を有するため、任意パターンの接続ポイントを用意する必要がない。その結果、任意のファイル間でマルチ接続を自動で行うことができる。
【００８２】
本発明の実施形態の放送送出システムによれば、特に、マスターＡＰＳなどにおいて接続ポイントが無い状態でも、自動的に接続ポイントを作成し、複数用意された運用パターンを任意に切り替える運用に適用できる。
【００８３】
なお、本発明の実施形態に係る放送送出に関する方法は、本発明の範囲に含まれるものとする。また、本発明に関する方法をコンピュータに実行させるプログラムも本発明の範囲に含まれるものとする。
【００８４】
（実施例）
本発明の実施形態に係る図１の放送送出システム１について、具体的な実施例を挙げて説明する。なお、以下の実施例の記載は一例であって、本発明を限定するものではない。
【００８５】
図１において、オペレータは、緊急マルチ接続を行う際、まずキーボードなどの入力装置４０からＶＤＴ２０のアプリケーションを操作する事によって、データ処理部２２により指定した放送日のマルチファイル１８の読み込みを指示する。
【００８６】
オペレータからの指示は、ＤＳ１０のデータ参照部１２に渡され、データ参照部１２は、ＤＳ記憶領域１１からデータを読み込む。
【００８７】
読み込まれたデータは、ＶＤＴ記憶領域２１に格納される。オペレータは、このデータを表示装置３０によって確認する。オペレータは、表示装置３０で確認されたデータを元に、入力装置４０を用いて指示を出す。データ処理部２２は、オペレータの指示内容を受け、マルチファイル１８上の番組データを選択し、緊急マルチ接続のコマンドを実行する。
【００８８】
この際、オペレータは、ＭＬ／ＥＤデータ１９の挿入位置を「現在時刻」以降にするか、「指定時刻」以降にするかを選択する。
【００８９】
緊急マルチ接続を実行すると、データ処理部２２は、指定された番組データの読み込みをデータ参照部１２に対して指示する。
【００９０】
データ参照部１２は、ＤＳ記憶領域１１から処理対象のデータを読み込み、ＶＤＴ記憶領域２１に格納する。
【００９１】
例えば、ＶＤＴ２０において、図２の２０１２／９／１８のＳＶ１＿１０１ファイル１８（１０１）を表示する。番組データＡ’を選択した状態で、緊急マルチ接続コマンドを実行すると、ＶＤＴ２０のデータ処理部２２は、図２の確定運行データ１６の２０１２／０９／１８＿ＳＶ１のＳＶ１＿ＲＥＧファイル１７およびＳＶ１＿１０１ファイル１８（１０１）をＤＳ記憶領域１１から読み込み、ＶＤＴ記憶領域２１に格納するように指示する。
【００９２】
次に、この格納したデータの中からＭＬ／ＥＤデータ１９の挿入位置を、ファイルの先頭から順に検索する。
【００９３】
ＭＬＦ１９（ａ）は、ＳＶ１＿ＲＥＧファイル１７上の現在時刻＋Ｎ秒以降、または指定時刻以降の時刻を持つ最初のイベントデータの直前に挿入する。なお、Ｎ秒は、データ転送やＣＭバンクなどのスタンバイ時刻を考慮した時間である。
【００９４】
ＭＬＴ１９（ｂ）は、ＳＶ１＿１０１ファイル１８（１０１）の現在時刻＋Ｎ秒以降、または指定時刻以降の時刻を持つ最初のイベントデータの直前に挿入する。
【００９５】
ＥＤＦ１９（ｃ）は、ＳＶ１＿１０１ファイル１８（１０１）のファイルの最後に挿入する。なお、ＥＤＦ１９（ｃ）の挿入位置は、ＭＬＴ１９（ｂ）を挿入した時刻以降であれば、任意に設定することもできる。
【００９６】
ＥＤＴ１９（ｄ）は、ＳＶ１＿ＲＥＧファイル１７上の現在時刻＋Ｎ秒以降、または指定時刻以降の時刻を持つ最初の番組データの直前に挿入する。
【００９７】
オペレータは、ＭＬ／ＥＤデータ１９の挿入位置として現在時刻を選択する。なお、本実施例においては、現在時刻は２０：５０：００、Ｎは１５秒とする。
【００９８】
ＭＬＦ１９（ａ）の挿入位置は、ＳＶ１＿ＲＥＧファイル１７の２１：００：００イベントＡ−４の直前になる。
【００９９】
ＭＬＴ１９（ｂ）の挿入位置は、ＳＶ１＿１０１ファイル１８（１０１）の２１：００：００イベントＡ’−４の直前になる。
【０１００】
ＥＤＦ１９（ｃ）の挿入位置は、ＳＶ１＿１０１ファイル１８（１０１）の２１：１０：００イベントＡ’−５の直後になる。
【０１０１】
ＥＤＴ１９（ｄ）の挿入位置は、ＳＶ１＿ＲＥＧファイル１７の２１：００：００の番組Ｂの直前となる。
【０１０２】
これら４点のＭＬ／ＥＤデータ１９の挿入した結果を図３に示す。
【０１０３】
ＭＬ／ＥＤデータの位置が全て確定し、かつマルチ接続可能と判断されると、データ処理部２２は、２０１２／０９／１８＿ＳＶ１上で、これらＭＬＦ１９（ａ）、ＭＬＴ１９（ｂ）、ＥＤＦ１９（ｃ）、ＥＤＴ１９（ｄ）に対するマルチ接続を実行する。
【０１０４】
マルチ接続を実行すると、オンエアルートは、ＳＶ１＿ＲＥＧファイル１７の先頭→ＳＶ１＿ＲＥＧファイル１７上のＭＬＦ１９（ａ）→ＳＶ１＿１０１ファイル１８（１０１）上のＭＬＴ１９（ｂ）→ＳＶ１＿１０１ファイル１８（１０１）上のＥＤＦ１９（ｃ）→ＳＶ１＿ＲＥＧファイル１７上のＥＤＴ１９（ｄ）→ＳＶ１＿ＲＥＧファイル１７の最後の順番となる。データ処理部２２は、各データのオンエアルートフラグを更新する。
【０１０５】
また、ＥＤＦデータ１９（ｃ）とＥＤＴデータ１９（ｄ）の時間差がある場合、ＥＤＴデータ１９（ｄ）以降のデータに対し、「ＥＤＦデータ１９（ｃ）の時刻」と「ＥＤＴデータ１９（ｄ）の時刻」との時間差でタイムシフト処理を実行する。
【０１０６】
ＥＤＦデータ１９（ｃ）の時刻はイベントＡ’−５と同じ２１：１０：００、ＥＤＴデータ１９（ｄ）の時刻は番組Ｂと同じ２１：００：００に設定する。そのため、タイムシフト量は＋１０分となり、ＥＤＴデータ（ｄ）以降のデータ全ての時刻に１０分加算する。
【０１０７】
図４には、上述の処理後のデータを示す。
【０１０８】
図１において、緊急マルチ接続の処理結果は、ＤＳ１０のデータ登録部１３によってＤＳ記憶領域１１に登録されるのと同時に、データ送信部１４にも通知される。
【０１０９】
そしてＡＰＳ５０を初めとする、確定運行データ１６を有する他機器に対し緊急マルチ接続の内容、またはマルチ接続後の確定運行データ１６が通知され、この通知を受けた機器でもマルチ接続によるオンエアルートの変更が反映される事となる。
【０１１０】
マルチ接続の処理結果の通知内容は機器ごとに異なるが、ＡＰＳ５０に通知される内容は「緊急マルチ接続で追加された４つのＭＬ／ＥＤデータ１９の追加指示」、「タイムシフト指示内容」である。ＡＰＳ５０には、オンエアルートフラグが変更されたデータや放送時刻が変更されたデータは通知しない。これらのＡＰＳ５０に通知された内容の反映処理は、ＡＰＳ５０側で行われる。
【０１１１】
ＡＰＳ５０は、事前にＡＰＳ記憶領域５１に確定運行データ１６を受信しており、上述のマルチ接続の内容を受信する事によって、ＡＰＳ５０内部で受信済みの確定運行データ１６に対して、データ編集部５２によりマルチ接続処理を実行する。
【０１１２】
マルチ接続処理を実行すると、ＡＰＳ５０の制御部５３は、ＭＬ／ＥＤデータ１９の次データの時刻に示されたタイミングで、参照中の確定運行データ１６のファイルを切り替える。また、ＡＰＳ５０は、確定運行データ１６上の時刻を見て事前制御を行う事も可能であり、マルチ接続でオンエアルートが変更された場合、事前制御対象データもオンエアルートに従って変更される。
【０１１３】
（動作）
次に、図２〜６を参照して本発明の実施例の動作について詳細に説明する。
【０１１４】
例えば、オペレータは、ＶＤＴ２０に２０１２／９／１８のＳＶ１＿１０１ファイル１８（１０１）（図２）を表示する。
【０１１５】
ＶＤＴ２０は、番組データＡ’を選択した状態で、緊急マルチ接続コマンドにおいて、ＭＬ／ＥＤデータ１９の挿入位置を現在時刻または指定時刻のいずれにするかを選択させる（ステップ５０１）。
【０１１６】
ステップ５０１において現在時刻が選択された場合（Ｙｅｓを選択）、ＶＤＴ記憶領域２１は、ＡＰＳ５０から受信した現在時刻を格納する（ステップ５０２）。
【０１１７】
ステップ５０１において指定時刻が選択された場合（Ｎｏを選択）、ＶＤＴ記憶領域２１は、オペレータによって指定された指定時刻を格納する。
【０１１８】
緊急マルチ接続を実行すると、ＶＤＴ２０のデータ処理部２２は、確定運行データ１６（図２）の２０１２／０９／２８＿ＳＶ１の対象ファイルであるＳＶ１＿ＲＥＧファイル１７とＳＶ１＿１０１ファイル１８（１０１）をＤＳ記憶領域１１から読み込み、それらをＶＤＴ記憶領域２１に格納するように指示する（ステップ５０４）。
【０１１９】
次に、データ処理部２２は、２０１２／９／１８＿ＳＶ１のＳＶ１＿ＲＥＧファイル１７（図２）の現在時刻＋Ｎ秒以降、または指定時刻以降の最初のイベントデータが存在するか否かを検索する（ステップ５０５）。
【０１２０】
ステップ５０５で検索した結果、該当するイベントデータが見つかれば（ステップ５０５でＹｅｓ）、データ処理部２２は、検索したデータの直前にＭＬＴデータ１９（ｂ）を生成する（ステップ５０６）。
【０１２１】
ステップ５０５で検索した結果、該当するイベントデータが見つからなければ（ステップ５０５でＮｏ）、データ処理部２２は、ＳＶ１＿ＲＥＧファイル１７の最後にＭＬＦデータ１９（ａ）を作成する（ステップ５０７）。
【０１２２】
次に、ＳＶ１のＳＶ１＿１０１ファイル１８（１０１）（図２）の現在時刻＋Ｎ秒以降、または指定時刻以降の最初のイベントデータを検索する（ステップ５０８）。
【０１２３】
ステップ５０８で検索した結果、該当するイベントデータが見つかれば（ステップ５０８でＹｅｓ）、データ処理部２２は、検索したデータの直前にＭＬＴデータを生成する（ステップ５０９）。
【０１２４】
ステップ５０８で検索した結果、該当するイベントデータが見つからなければ（ステップ５０８でＮｏ）、データ処理部２２は、ＳＶ１＿１０１ファイル１８（１０１）の最後にＭＬＴデータを作成する（ステップ５１０）。
【０１２５】
次に、２０１２／９／１８＿ＳＶ１のＳＶ１＿ＲＥＧファイル１７（図２）に示された現在時刻＋Ｎ秒以降、または指定時刻以降の最初の番組データを検索する（ステップ５１１）。
【０１２６】
ステップ５１１で検索した結果、該当する番組データが見つかれば（ステップ５１１でＹｅｓ）、データ処理部２２は、検索したデータの直前にＥＤＴデータ１９（ｄ）を生成する（ステップ５１２）。
【０１２７】
ステップ５１１で検索した結果、該当する番組データが見つからなければ（ステップ５１１でＮｏ）、データ処理部２２は、ＲＥＧファイルの最後にＥＤＴデータ１９（ｄ）を作成する（ステップ５１３）。
【０１２８】
その後、データ処理部２２は、無条件でＳＶ１＿１０１ファイル１８（１０１）の最後に、ＥＤＦデータ１９（ｃ）を作成する（ステップ５１４）。
【０１２９】
次に、マルチ接続の実行可否チェックを行う（ステップ５１５）。
【０１３０】
マルチ接続の実行可否チェックによってエラーとなるのは、例えば、現在時刻（局時刻）に対して過去時刻となったＭＬＦデータ１９（ａ）にマルチ接続を実行しようとした場合である。また、ＭＬＦデータ１９（ａ）の接続先指定のＭＬＴデータ１９（ｂ）が存在しない場合や、ＥＤＦデータ１９（ｃ）の接続先指定のＥＤＴデータ１９（ｄ）が存在しない場合にもエラーとなる。ＭＬＦデータ１９（ａ）の接続先指定のＭＬＴデータ１９（ｂ）が存在しない場合とは、例えばＭＬＦデータ１９（ａ）の挿入時刻以降に、ＳＶ１＿１０１ファイル１８（１０１）（マルチファイル）上にイベントデータが無い場合である。また、ＥＤＦデータ１９（ｃ）の接続先指定のＥＤＴデータ１９（ｄ）が存在しない場合とは、例えば次の番組データが無い場合である。さらに、ＯＡルート上においてＥＤＴデータ１９（ｄ）がＭＬＦデータ１９（ａ）より前データ指定になっている場合にもエラーとなり、この場合、ＭＬＦ→ＭＬＴ→ＥＤＦ→ＥＤＴ→ＭＬＦ→・・・という無限ループになってしまう。
【０１３１】
ステップ５１５においてマルチ接続不可の場合（Ｎｏ）、「マルチ接続エラー」というエラーを表示装置３０にエラー出力して終了する。
【０１３２】
図５のステップ５１５においてマルチ接続可能の場合（Ｙｅｓ）、図６のステップ６０１に移行する。
【０１３３】
図６のステップ６０１において、データ処理部２２は、２０１２／０９／１８のＭＬ／ＥＤデータ１９に対してマルチ接続を実行する（ステップ６０１）。
【０１３４】
まず、データ処理部２２は、図３のように、ＭＬＦ１９（ａ）、ＭＬＴ１９（ｂ）、ＥＤＦ１９（ｃ）、ＥＤＴ１９（ｄ）のマルチ接続中フラグをＤ（接続中）に変更する（ステップ６０２）。
【０１３５】
次に、データ処理部２２は、ＥＤＦ１９（ｃ）とＥＤＴ１９（ｄ）の放送時刻が同じかどうかを判断する（ステップ６０３）。
【０１３６】
ステップ６０３において、放送時刻が同じでなければ、２０１２／９／１８のＳＶ１のＳＶ＿ＲＥＧファイル１７上に示されたＥＤＴ１９（ｄ）以降のデータに対し、タイムシフト処理を実行する（ステップ６０４）。
【０１３７】
ステップ６０４において、ＥＤＦ１９（ｄ）の放送時刻は２１：１０：００、ＥＤＴ１９（ｃ）の放送時刻は２１：００：００である。そのため、ＥＤＦ１９（ｄ）の放送時刻とＥＤＴ１９（ｃ）の放送時刻との差から、シフト量は＋００：１０：００となる。ここで、ＥＤＴ１９（ｄ）以降のデータの放送時刻に００：１０：００を加算する。
【０１３８】
また、データ処理部２２は、２０１２／９／２８のＳＶ１のＳＶ１＿ＲＥＧファイル１７（図２）に示されたＭＬＦ１９（ａ）の次からＥＤＴ１９（ｄ）の前までのデータのオンエアルートフラグをスペース（ＯＦＦ）にする（ステップ６０５）。なお、オンエアルートフラグは、オンエアルート上（ＯＮ）には「１」が付され、オンエアルート外（ＯＦＦ）にはスペースが空けられている。オンエアルートフラグは、ＶＤＴ２０のデータ処理部２２において、オンエアルート上のデータのみを抽出するのに必要である。
【０１３９】
データ処理部２２は、２０１２／９／１８のＳＶ１のＳＶ１＿１０１ファイル１８（１０１）に示されたＭＬＴ１９（ｂ）の次からＥＤＴ１９（ｃ）の前までのデータのオンエアルートフラグを「１」にする（ステップ６０６）。
【０１４０】
ここで、ＶＤＴ２０上で処理結果を表示し、「番組途中における緊急マルチ接続処理」は終了する（ステップ６０７）。
【０１４１】
マルチ接続処理結果は、ＤＳ１０のデータ登録部１３を介して、ＤＳ記憶領域１１およびデータ送信部１４に通知される。
【０１４２】
データ送信部１４は、ＡＰＳ５０とのインターフェース仕様に基づき、「緊急マルチ接続で追加した４つのＭＬ／ＥＤデータ１９の追加指示」、「タイムシフト指示内容」をＡＰＳ記憶領域５１に送信する。
【０１４３】
ＡＰＳ５０は、これらのデータを受信後、データ編集部５２によって、データ処理部２２と同様の緊急マルチ接続処理を実行する。
【０１４４】
制御部５３は、データ編集部５２によって実行された緊急マルチ接続処理に応じて作成された確定運行データ１６に従って、放送データの送出を実行する。
【０１４５】
以上が、本発明の実施形態に係る実施例における放送送出システムの説明である。なお、上記の実施例は一例であって、本発明の範囲を限定するものではない。
【０１４６】
実施例の放送送出システムにおいて、マスターシステムとなるＡＰＳは、接続ポイントとなるＭＬ／ＥＤデータの挿入位置を自動で判断するステップと、挿入したＭＬ／ＥＤデータに従ってマルチ接続を実行するステップとを有する。そのため、事前に接続ポイントを用意する事なく、番組の途中であってもマルチ接続を実行可能にする。
【０１４７】
以上、実施形態及び実施例を参照して本願発明を説明してきたが、本願発明は上記実施形態及び実施例に限定されるものではない。本願発明の構成や詳細には、本願発明のスコープ内で当業者が理解し得る様々な変更をすることができる。
【符号の説明】
【０１４８】
１    放送送出システム
１０    ＤＳ
１１    ＤＳ記憶領域
１２    データ参照部
１３    データ登録部
１４    データ送信部
１５    データ受信部
１６    確定運行データ
１７    ＲＥＧファイル
１８    マルチファイル
１９    ＭＬ／ＥＤデータ
２０    ＶＤＴ
２１    ＶＤＴ記憶領域
２２    データ処理部
３０    表示装置
４０    入力装置
５０    ＡＰＳ
５１    ＡＰＳ記憶領域
５２    データ編集部
５３    制御部
５４    時計ボード
６０    時計装置
１１０    マスターＡＰＳ
１２１    ＶＴＲ
１２２    フィルム
１３０    入力スイッチャ
１３１    第１のスイッチ列
１３２    第２のスイッチ列
１４０    送出バッファ
１６０    マスタスイッチャ
【図１】
2014143462.tif 000003
【図２】
2014143462.tif 000004
【図３】
2014143462.tif 000005
【図４】
2014143462.tif 000006
【図５】
2014143462.tif 000007
【図６】
2014143462.tif 000008
【図７】
2014143462.tif 000009